(57)【要約】【課題】ガルバニック列を利用して微弱電流を惹起するようにされた金属製の指圧器具であって、イオン化傾向が異なる金属同士を確実に密着させて電導率の低下を防止し、簡単に製作することができる指圧用ロッドを提供する。【解決手段】指圧用ロッド１を、把持部としての八角注状のロッド本体１の一端側（先端側）が鋭角をなす錐形部２を持ち、ロッドの先端２ａは、人体のツボが押圧可能な大きさの球面状に形成する。指圧用ロッド１を、導電性金属である銀製とし、このロッド本体１を構成する金属とイオン化傾向を異にする導電性金属である金をロッド本体１の表面にメッキして金メッキ層３を施す。【選択図】図１
0003179288.tif 000002
【実用新案登録請求の範囲】
【請求項１】
導電性金属からなる棒状のロッド本体と、前記ロッド本体を構成する金属とイオン化傾向を異にする導電性金属を前記ロッド本体表面にメッキしてなることを特徴とする指圧用ロッド。
【請求項２】
ロッド本体が銀製で、その表面に金メッキを施したことを特徴とする請求項１記載の指圧用ロッド。
【請求項３】
ロッド本体が八角柱状であることを特徴とする請求項又は請求項２記載の指圧用ロッド。
【考案の詳細な説明】
【技術分野】
【０００１】
本考案は、人体の経絡（以下、単にツボと称する）を押圧して、例えば、筋肉痛、神経痛、頭痛、腰痛、五十肩等の種々の疾患による症状を即時的に緩和し、治癒するために使用される指圧用ロッドに関するものである。
【背景技術】
【０００２】
従来の指圧治療法は、人手によって、患部やツボを押圧、揉み叩き等して神経を刺激し、血行を改善して痛み等を緩和して治療するものであった。また、鍼灸療法では、人体のツボに鍼を打ったり、灸を据えたり、温熱や電気を使用して治療するものであった。
【０００３】
ところで、従来の鍼灸治療は人体に直接針を打ち込むことから、使用器具の消毒が不十分な場合には、悪性ウイルス等の感染に対する不安感を患者に与えるという問題があった。そこで、外科的に人体に損傷を与えることが無く、指圧器具を単に患部に当接して、軽く押圧するのみで、痛みを緩和し、疾患を治療することを目的とした指圧器具が種々提案されている。
【０００４】
例えば、特許文献１には、携行式で、指圧効果、もみ効果と同時に簡易な鍼治療効果が得られる指圧器が開示されている。この指圧器は、外筒内を摺動する摺動内筒内に先端を丸めた針状の細棒を複数本植設した指圧部を上端に有する押圧部材が内装され、押圧により押圧部材が回転する構造にされている。
【０００５】
一方、イオン化傾向の異なる金属の組み合わせと、その配列方法によってガルバニック電流を起こし、生じた微弱電流の生体への反応を利用した健康器具が提案されている（例えば、特許文献２又は特許文献３参照。）。とくに、特許文献４では、金、銀又は銅の何れか単独若しくは適宜混合した金属等の導電性金属からなる把持体の先端部に把持体とイオン化傾向の異なる金属片を埋め込んだ指圧器具が提案されている。
【先行技術文献】
【特許文献】
【０００６】
【特許文献１】特開平９−７５４２３号公報
【特許文献２】特開平１１−３１９１１８号公報
【特許文献３】特開２０００−３７４３７号公報
【特許文献４】実用新案登録第３０４８５５４号公報
【考案の概要】
【考案が解決しようとする課題】
【０００７】
このように、電気式治療器のように外部からの商用電源等を使用することなく、指圧器具が自ら微弱電流を惹起し、画期的な治療効果を発揮する指圧器具が提案されている。
【０００８】
しかしながら、例えば、特許文献４の指圧器具においては、金属片と把持体との導電性の低下を防ぐため、焼嵌法を使って両者間に導電率を低下させない物質が介在しないように製作することが好ましいと記載されているが、焼嵌法によって異種の金属同士を密着させることは極めて高度な成形及び熟練作業を要する。
本考案は、上記従来技術の課題に鑑み、ガルバニック列を利用して微弱電流を惹起するようにされた金属製の指圧器具であって、イオン化傾向が異なる金属同士を確実に密着させて電導率の低下を防止し、簡単に製作することができる指圧用ロッドを提供することを目的とする。
【課題を解決するための手段】
【０００９】
そこで、本考案の指圧用ロッドは、導電性金属からなるロッド本体と、前記ロッド本体を構成する金属とイオン化傾向を異にする導電性金属を前記ロッド本体表面にメッキしてなることを第１の特徴とする。また、指圧用ロッド本体が銀で、その表面を金メッキしたことを第２の特徴とする。さらに、指圧用ロッド本体が八角柱状であることを第３の特徴とする。
【考案の効果】
【００１０】
本考案は以上のように構成したので、以下のような優れた効果を有する。
（１）指圧用ロッドの先端を患部に当接し、軽く押圧し、その押圧点を起軸にして回転操作するだけで、筋肉痛、神経痛、頭痛、腰痛、五十肩等の苦痛が即時的に緩和軽減できる。
（２）人体に針を刺す等の外科的な損傷を一切加えることがないので、悪性ウイルスに感染するような衛生面における不安がない。
（３）電気式治療具のように、商用電源等の外部電源を使用することなく、ガルバニック電流による高い治療効果が得られるばかりでなく、屋外や外国でも手軽且つ簡便に使用でき、特段のメンテナンスも不要である。
【図面の簡単な説明】
【００１１】
【図１】本考案に係る指圧用ロッドの斜視図である。
【図２】本考案に係る指圧用ロッドの（ａ）は側面図、（ｂ）は（ａ）の右側面図である。
【図３】分光学的元素表である。
【考案を実施するための形態】
【００１２】
以下、図面に示す実施例に基づいて本考案の実施の形態を説明する。
【実施例】
【００１３】
図１に示すように、指圧用ロッド１は、全体を鉛筆態様、すなわち、把持部としての八角注状のロッド本体１の一端側（先端側）が鋭角をなす錐形部２を持ち、ロッドの先端２ａは、人体のツボが押圧可能な大きさの球面状に形成されている。
【００１４】
ここで、指圧用ロッド１は、導電性金属である銀製のロッド本体１と、このロッド本体１を構成する金属とイオン化傾向を異にする導電性金属である金がロッド本体１の表面にメッキして金メッキ層３が施されている。
【００１５】
尚、ロッド１を構成する金属としては、例えば、金、銀、銅、アルミニウム亜鉛、クロム、鉄、コバルト、ニッケル、錫等でもよい、これらの金属は比較的に導電率が高く、ロッド１の先端部２ａを皮膚に接したときに生ずる微弱電流を効率よく流すことができる。
【００１６】
ロッド１表面にメッキされる金属は、ロッド１を構成する金属とイオン化傾向が異なる金属が使用される。但し、有害な、例えば、鉛、カドミウム等が除外されることは言うまでもない。イオン化傾向の差が大きいものほど両者間に発生する電位差が大きく、例えば、ロッド１がイオン化傾向の小さい金の合金からなり、一方の金属をイオン化傾向の大きいアルミニウムにすれば、両者間に大きな電位差を生じる。
【００１７】
しかし、アルミニウムは空気中に放置すると、酸化されやすく、表面に酸化膜を生じて導電性が低下するので、導電性を高めるために、使用前に表面を削る等して酸化膜を除き導電性を高めておく必要がある等の手間を要するため、本実施例では金属的な性質が安定し、且つ表面酸化に係る時間も比較的穏やかな銀をロッド１の原料とした。
【００１８】
本考案の指圧ロッド１は、その先端２ａを患者のツボに当接して軽く押圧した状態で、その押圧点を起軸にして回転操作する。しばらくして、指圧ロッド１をツボから離反し、この動作を反復使用する。
【００１９】
本考案に係る指圧ロッド１の先端部２ａを人体のツボに当接して押圧すると、人体の皮膚近傍に含有される水分によって、ロッド本体１とメッキ層３を構成する両金属がそれぞれイオン化して両金属間に標準電極電位の差に応じた電位差を生じ、導電性に優れた金属で構成されたロッド本体１を通じてツボに微弱な電流が流れ、これが人体中を流れる生体電流若しくは神経に作用して血流を改善し、痛みを緩和する作用をなすものと推測される。
【００２０】
さらに、ロッド本体１の後端１ｂを鏡面にすることにより、微弱電流と外部から受ける光の作用によって、電磁波、特に遠赤外線を放出し、この電磁波が患部に照射されることによって、人体の細胞を活性化させ自然治癒力を促進する結果、前記の微弱電流により治療効果をより増強する作用をなすものと推測される。参考として図３に分光学的元素表を示す。
【符号の説明】
【００２１】
１    棒状のロッド本体（銀）
１ａ  ロッド表面
１ｂ  後端部鏡面
２    錐形部
２ａ  ツボ押圧部（ロッドの先端）
３    メッキ層（金）
【図１】
0003179288.tif 000003
【図２】
0003179288.tif 000004
【図３】
0003179288.tif 000005
【手続補正書】
【提出日】平成24年8月22日(2012.8.22)
【手続補正１】
【補正対象書類名】実用新案登録請求の範囲
【補正対象項目名】請求項３
【補正方法】変更
【補正の内容】
【請求項３】
ロッド本体が八角柱状であることを特徴とする請求項１又は請求項２記載の指圧用ロッド。